(57)【要約】      （修正有）【課題】バストの保形・強調・誇示を必要条件とせず、衣類の前身頃胸部に効果実現を可能にする部分を設け、ブラジャー及びブラジャーの機能を有する衣類着用時の圧迫感からの完全解放、バストの形の表面化防止、容易な着脱、さらに幅広い年齢層・体形・健康状態・生活状況・気温に適応させることが出来る衣類を提供する。【解決手段】矩形状部両側の角部を切り欠いた形状であって、表面化防止パーツを、周囲に余白をとった状態で前身頃胸部に取り付けており、かつ、前記表面化防止パーツは、天然繊維及び合成繊維の少なくともいずれかからなる糸をネット状に形成したものであるブラジャー不要のナチュラル志向衣類とする。【選択図】図１
0003169151.tif 000002
【実用新案登録請求の範囲】
【請求項１】
矩形状部両側の角部を切り欠いた形状であって、表面化防止パーツを、周囲に余白をとった状態で前身頃胸部に取り付けており、かつ、前記表面化防止パーツは、天然繊維及び合成繊維の少なくともいずれかからなる糸をネット状に形成したものであるブラジャー不要のナチュラル志向衣類。
【請求項２】
前記天然繊維は、綿、絹、麻及び天然ゴムの少なくともいずれかを含む請求項１記載のブラジャー不要のナチュラル志向衣類。
【請求項３】
前記合成繊維は、ポリアミド、ポリビニルアルコール、ポリエステル、アクリル、ポリオレフィン及びポリウレタンの少なくともいずれかを含む請求項１記載のブラジャー不要のナチュラル志向衣類。
【請求項４】
前記表面化防止パーツは、前記前身頃胸部と布部材に挟まれて取り付けられている請求項１記載のブラジャー不要のナチュラル志向衣類。
【考案の詳細な説明】
【技術分野】
【０００１】
本考案は、ブラジャー及びブラジャーの機能を有する衣類着用時の圧迫感・不快感から解放する衣類に関する。
【背景技術】
【０００２】
従来、バストの保形を目的とするブラジャーの機能を有し、且つ圧迫感解消や容易な着脱を目的とする衣類は、さまざまな形やデザインを凝らした製品が生産・使用されている。具体例としては、下着やＴシャツ・タンクトップなどの前身頃バスト部に単にカップをつけたもの、下着の前身頃バスト部自体を膨出させたものなどがある。しかしながら、それらはバスト保形条件を中心に据えているため、着用者個々の体型・年齢・健康状態・生活状況・寒暖に合致するものではなく、快適さを欠くものである。
【０００３】
上記例のカップを単に前身頃につけた衣類は、内着・外着両タイプがあるが、画一的なバストの位置に単にカップを設けているので、個々人の体型や動きに対応しきれず、バストとカップの位置にずれが生じ、バストがカップからはみ出し透けて見えるなどの欠点がある。
【０００４】
上記例の下着の前身頃バスト部自体を膨出させた衣類は、用途は下着のみである。さらにバスト部の膨出部分を画一的な位置に設けてあるため個々人の体型や動きに対応しきれずバストと膨出部の位置にずれが生じ、その都度膨出部にバストをおさめなおさなければならない。また、アンダーバスト部に伸縮性ベルトを使用しているため、胃への圧迫感や高温時の汗だまり・かゆみなどの不快感から解放されない。
【０００５】
これらの欠点の一部を補うものとして製品化されている胸パッドを含む前当てと外着の２重構造の胸パッドつきカットソーは、腕を上げた時の脇の皮膚の伸縮率よりも布の伸縮率を上げて脇伸びをカバーし、さらに胸パッドを含む前当てを肩部分１点留めにして、動きやすくパッドをずれにくくしているが、胸パッドを画一的な位置に設けてあるため個々人のバストの位置・大きさ・形に適応しきれず、バストと胸パッド部にずれが生じる。さらに胸パッドにバストをおさめるため胸パッド下部に伸縮ベルトを設けてあるため、胃への圧迫感・高気温時の汗だまり・かゆみなどの不快感から解放されない。またバストにフィットすることや伸縮性の高い生地使用のため、老人等非力者に適さない。
【０００６】
アンダーバスト部の圧迫感解消のため、アンダーバスト部に伸縮性のあるレースや巾広ベルトを使用している製品があるが、ベルト部分がある限り胃への圧迫感や高気温時の汗だまり・かゆみなどの不快感からの完全解放はなされない。
【０００７】
前身頃バスト部に当て布をして２重仕様にし、バストがひびきにくいとしているパジャマが製品化されているが、単に２重にしてあるためバスト表面化防止が完璧ではなく、パジャマなどの室内着にとどまる。
【考案の概要】
【考案が解決しようとする課題】
【０００８】
上述の如く、従来のバスト保形機能を有する衣類は、バスト部の膨出・胸パッド付きなどの製品が多い。しかしそれらは画一的な位置に設けてあるため個々人のバストの位置・形・大きさに合わず動きに対応できないことからずれが生じ、バストの形が表面化しバスト保護を保つことができない。
【０００９】
上述の如く、従来のバスト保形機能を有する衣類は、バスト保形を必要条件としているため、バストを支えるためにアンダーバスト部に伸縮性素材のベルトを有している。そのため胃への圧迫感・高気温時の汗だまり・かゆみなどの不快感から解放されない。
【００１０】
上述の如く、バスト部のフィット性を高めるために伸縮生地を使用している衣類は、伸縮に対応しての着脱になる。老人等非力者には適さない。
【００１１】
上述の如く、バストの保形や表面化防止にはフィット性が高く厚地の生地を使用しなければならない。そのため通気性が悪く、高気温時には、むれ・汗・かゆみなどの不快感が増大する。
【００１２】
上述の如く、バスト部を単に２重仕様にしている製品は、圧迫感からは解放されるが、バストの形の表面化防止が完璧ではない。また布地を２重にして厚地になっているため低気温時の保温にはなるが、高気温時には適さない。
【００１３】
本考案は、このような問題点を解決するものであり、バストの保形・強調・誇示を必要条件とせず、その目的は衣類の前身頃胸部に効果実現を可能にする部分を設け、ブラジャー及びブラジャーの機能を有する衣類着用時の圧迫感からの完全解放、バストの形の表面化防止、容易な着脱、さらに巾広い年齢層・体形・健康状態・生活状況・気温への適応にある。
【課題を解決するための手段】
【００１４】
上述の目的を達成する本考案の衣類は、バストの形が表面化しない張りのある、且つ季節による気温に適応する素材を、腕の動きを阻害しない形に成形し、内着用外着用両衣類の前身頃胸部にバスト部を膨出させずに組み込むことを特徴とする。
【考案の効果】
【００１５】
本考案によれば、衣服前身頃胸部に張りをもたせることによりバストの形が表面化することがないため、ブラジャー及びブラジャーの機能を有する衣類の着用を必要としないことから、バストのみならず肩・胃などへの圧迫感がなく、血液循環も妨げず、身体をリラックス状態に保つことに有効である。
【００１６】
本考案によれば、衣服前身頃胸部の張り部分に、高気温時着用衣類には通気性を有する素材を使用するため暑さ・汗・かゆみなどの不快感解消に、低気温時着用衣類には保温性を有する素材を使用するため冷え防止に有効である。
【００１７】
本考案によれば、ホック等を有しないためかけはずし不要、また高伸縮性生地不使用のため老人等非力者にも着脱が容易である。
【００１８】
本考案によれば、バスト部を膨出させないため、バストの位置・大きさ・形の違いに適応でき、動きに対応できる。
【００１９】
本考案によれば、バストを完全解放するため快適に過ごすことができ、さらに内着用外着用両衣類に利用できるため巾広い年齢層・体形・健康状態・生活状況・着用目的に合わせて活用できることから、スポーツ用やバストの保形・強調・誇示目的以外のあらゆるニーズに答えることができる。特にナチュラル志向に最適である。
【図面の簡単な説明】
【００２０】
【図１】本考案の実施形態の基本形の正面図である。
【図２】図１の斜線部の厚みに係る詳細説明図である。
【図３】前身頃全開衣類における本考案の実施形態の基本形の正面図である。
【図４】本考案の実施形態の応用形の正面図である。
【考案を実施するための最良の形態】
【００２１】
以下、本考案の実施の形態を図面に基づき詳細に説明する。
【００２２】
図１は、衣類の内着用外着用にかかわらず衣服前身頃における本考案実施形態の基本形で、斜線部が本考案の目的達成部である。以降、斜線部を表面化防止パーツと称する。表面化防止パーツの材質は、バスト表面化防止のため、張りのある材質で肌面はソフトであること。表面化防止パーツの占める範囲は、ごわつき防止のため、表面化防止パーツの周囲に余白をとった範囲とする。特に腕の動きをスムーズにするために脇部は１のような形状とする。
【００２３】
図２は、表面化防止パーツ部分である。表面化防止パーツは同じ材質で作成してもよいが、バストの垂れ感を緩和するため、黒部２に白部３よりも厚みをもたせることが好ましい。また表面化防止パーツの形状は、矩形状部両側の角部を切り欠いた形状であることが好ましい。なお、切り欠いた形状とする場合、本図のように曲線によって切り欠いた形状とすることも好ましく、直線によって切り欠いた形状とすることがより好ましい。
【００２４】
図３は、衣類の内着用外着用にかかわらず、前身頃全開の場合の基本形で、斜線部が本考案の目的達成部である。
【００２５】
本考案の表面化防止パーツ構成材採用例を以下に示す。
【００２６】
高気温時着用衣類の表面化防止パーツには、高い通気性とバスト表面化防止のための張りを有するチュールなどの生地を組み込むことが好ましい。
【００２７】
低気温時着用衣類の表面化防止パーツには、保温性と張りを有するパッチワークの芯などの生地を組み込むことが好ましい。腹部の保温も兼ねる場合は腹部をおおう範囲に表面化防止パーツの下部丈を伸ばす。
【００２８】
なお、表面化防止パーツの材質は、天然繊維及び合成繊維の少なくともいずれかからなる糸をネット状に形成したものであることが好ましい。また、天然繊維の場合、限定されるわけではないが綿、絹、麻及び天然ゴムの少なくともいずれかを含むことが好ましい。また合成繊維の場合、限定されるわけではないがポリアミド、ポリビニルアルコール、ポリエステル、アクリル、ポリオレフィン及びポリウレタンの少なくともいずれかを含むことが好ましい。
【００２９】
また、本考案の表面化防止パーツは、上記天然繊維及び合成繊維の少なくともいずれかからなる糸をネット状に形成したものであることが好ましい。なお、限定されるわけではないが、サイズとして、ネット状において、ネットを構成する糸の太さは０．３ｍｍ以上１ｍｍ以下であることが好ましく、網目の大きさ（矩形状の場合は一辺の長さ、円形状の場合は直径、楕円形状の場合は長径及び短径）は２ｍｍ以上８ｍｍ以下の範囲にあることが好ましい。この範囲とすることで、乳房等の形状が表面化してしまうことを防止できる適切な硬さを備えることができるとともに、通気性、伸縮性を備えていることができる。
【００３０】
本考案の適用例を以下に示す。
【００３１】
シャツ・ランニング・キャミソール・スリップなどの内着用衣類。
【００３２】
Ｔシャツ・ブラウス・トレーナーなどの外着用衣類。パーツ組み込み部は自在にデザインを施せる。
【００３３】
パジャマ・ネグリジェ・ホームウェアなどのくつろぎ着。身体をリラックス状態に保ち、着脱容易、ブラジャー等不要のため診察に即対応できることからも入院生活・療養生活にも最適である。
【００３４】
老人用前身頃全開衣類。被介護者にも最適である。
【００３５】
母乳育児実践者用の前身頃開口衣類。乳腺を圧迫せず、授乳時には容易にバストを出すことができ、授乳中のバストも隠すことができる。漏れ乳対策も可能である。
【００３６】
女児衣類。特にブラジャーをつけるにはまだ早いバスト発達初期段階の女児に最適である。体操服も可能である。
【００３７】
本考案の応用例を以下に示す。
【００３８】
衣服前身頃に表面化防止パーツを組み込まず、着脱自在の単体とする。図４は、その形態例で、斜線部がパーツ部分で、黒部は衣服に着脱する部分である。
【００３９】
以上、本考案の実施の形態及び実施例・応用例を説明したが、本考案の範囲はこれに限定されるものではない。例えば、表面化防止パーツの形状・素材・組み込み方は、状況や進化に応じて適宜選択されるものである。例えば、衣類の前身頃胸部に布部材を縫い付け、この布部材と前身頃胸部の間に表面化防止パーツを配置することが好ましい。このようにすると、バストの表面化防止を図ることができるとともに、肌に直接表面化防止パーツが触れてしまうことを防止することができ、肌の擦れを防止することができるとともに快適な肌触り感を確保することができる。
【００４０】
また胸部に限らず、張りと通気・保温を必要とする他部分への適用も可能である。
【００４１】
また女性に限らず、男性用パンツ前部分などへの適用も可能である。
【００４２】
また本考案の目的に限らず、身体諸部位の傷などの保護目的にも利用可能である。
【図１】
0003169151.tif 000003
【図２】
0003169151.tif 000004
【図３】
0003169151.tif 000005
【図４】
0003169151.tif 000006